(57)【要約】【課題】トータルＶＯＣを低減しつつ、普通紙や専用光沢紙に良好な画像を記録することを可能とするインクジェット用浸透剤、およびそれを含有するインクジェット記録用インク組成物を提供する。【解決手段】本発明に係るインクジェット用浸透剤は、下記一般式（２）で表されるアルコールに酸化プロピレンおよび酸化エチレンを順次ブロック重合させることにより得られる下記一般式（１）で表される化合物を含むインクジェット用浸透剤であって、前記アルコールの含有量が１質量％以下である。  ＣｘＨ２ｘ＋１−Ｏ−（ＰＯ）ｙ−（ＥＯ）ｚ−Ｈ  ・・・・・（１）（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）  ＣｘＨ２ｘ＋１−ＯＨ  ・・・・・（２）（式（２）中、ｘは５〜１０の整数を表す。）【選択図】なし【特許請求の範囲】
【請求項１】
下記一般式（２）で表されるアルコールに酸化プロピレンおよび酸化エチレンを順次ブロック重合させることにより得られる下記一般式（１）で表される化合物を含むインクジェット用浸透剤であって、前記アルコールの含有量が１質量％以下である、インクジェット用浸透剤。
ＣｘＨ２ｘ＋１−Ｏ−（ＰＯ）ｙ−（ＥＯ）ｚ−Ｈ  ・・・・・（１）
（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）
ＣｘＨ２ｘ＋１−ＯＨ  ・・・・・（２）
（式（２）中、ｘは５〜１０の整数を表す。）
【請求項２】
前記ブロック重合が塩基性触媒存在下で行われる、請求項１に記載のインクジェット用浸透剤。
【請求項３】
下記一般式（２）で表されるアルコールに酸化プロピレンおよび酸化エチレンを順次ブロック重合させることにより得られる下記一般式（１）で表される化合物を含むインクジェット用浸透剤を含有し、前記アルコールの含有量が０．５質量％以下である、インクジェット記録用インク組成物。
ＣｘＨ２ｘ＋１−Ｏ−（ＰＯ）ｙ−（ＥＯ）ｚ−Ｈ  ・・・・・（１）
（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）
ＣｘＨ２ｘ＋１−ＯＨ  ・・・・・（２）
（式（２）中、ｘは５〜１０の整数を表す。）
【請求項４】
前記インクジェット用浸透剤の含有量が０．５質量％以上５質量％以下である、請求項３に記載のインクジェット記録用インク組成物。
【請求項５】
標準沸点２４０℃以下の揮発性有機溶剤の含有量が０．１質量％以下である、請求項３または請求項４に記載のインクジェット記録用インク組成物。
【請求項６】
さらに、アニオン系界面活性剤を含有する、請求項３ないし請求項５のいずれか一項に記載のインクジェット記録用インク組成物。
【請求項７】
顔料を除いた場合における曇点が５０℃以上である、請求項３ないし請求項６のいずれか一項に記載のインクジェット記録用インク組成物。
【請求項８】
エポキシ系接着剤、変性ポリフェニレンエーテルおよびエラストマーから選択される少なくとも１種を材料として用いたインクジェットヘッドを備えたインクジェット記録装置に用いられる、請求項３ないし請求項７のいずれか一項に記載のインクジェット記録用インク組成物。
【請求項９】
請求項３ないし請求項８のいずれか一項に記載のインクジェット記録用インク組成物を備えた、記録装置。
【請求項１０】
１時間当たりのＶＯＣの総量が５ｍｇ／ｈ未満である、請求項９に記載の記録装置。
【発明の詳細な説明】
【技術分野】
【０００１】
本発明は、インクジェット用浸透剤、インクジェット記録用インク組成物および記録装置に関する。
【背景技術】
【０００２】
近年、インクジェット記録用ヘッドのノズルから吐出させた微小なインク滴によって、普通紙、光沢紙等の記録媒体上に画像や文字を記録するインクジェット記録方法が普及している。特に安価であり、また入手が容易である普通紙（例えば、ＰＰＣ用紙、印刷用非塗工紙など）に対して高画質な印刷を高速に行うことが望まれているが、普通紙印刷において水性インクを使用した場合には印刷後のカール、コックリングが大きな課題となっていた。また、写真画質を目的とした専用光沢紙印刷において水性インクを使用した場合には、得られる画像の粒状感、光沢感、さらには擦過性が劣る傾向があった。
【０００３】
このような課題を解決するための手段としては、例えば１，２−アルカンジオール、グリコールエーテル類等の水溶性有機溶剤を水性インクに添加する技術が提案されている（特許文献１参照）。かかる技術によれば、普通紙に印刷したときのカール特性に優れるだけでなく、主ドットと共に複数のサテライトドットを吐出させることができるため、専用光沢紙に印刷した際に良好な粒状感、光沢感、および耐擦過性を有する画像を記録することができる。
【先行技術文献】
【特許文献】
【０００４】
【特許文献１】特開２００７−１５３９７５号公報
【発明の概要】
【発明が解決しようとする課題】
【０００５】
ところで、近年人の健康への影響が懸念される揮発性有機化合物（ＶＯＣ（ｖｏｌａｔｉｌｅ  ｏｒｇａｎｉｃ  ｃｏｍｐｏｕｎｄｓ））の排出を抑制するための様々な対策が講じられている。ＶＯＣとは、揮発性を有し、大気中で気体状となる有機化合物の総称である。従来から水性インクに添加されている１，２−ヘキサンジオールやトリエチレングリコールモノブチルエーテル等もＶＯＣに含まれるため、これらの水溶性有機溶剤に取って代わる材料の開発が求められている。しかしながら、水性インクのトータルＶＯＣを低減しつつ、上記の特許文献１に記載されている水性インクと同等の性能を得ることは非常に困難であった。
【０００６】
一方、上記の特許文献１に記載されている１，２−アルカンジオールやグリコールエーテル類等が添加された水性インクは、インクジェットヘッドを構成する部材を変質または変形させる等のアタック性を有することがあった。そのため、長期間の使用により、インクジェットヘッドの信頼性が損なわれて、良好な画像を記録できなくなることがあった。
【０００７】
本発明に係る態様の一つは、上述の課題の少なくとも一部を解決することで、トータルＶＯＣを低減しつつ、普通紙や専用光沢紙に良好な画像を記録することを可能とするインクジェット用浸透剤、およびそれを含有するインクジェット記録用インク組成物を提供する。
【０００８】
また、本発明に係る態様の一つは、上述の課題の少なくとも一部を解決することで、長期間の使用によってもインクジェット記録用ヘッドの信頼性が損なわれないインクジェット記録用インク組成物、およびそれを備えた記録装置を提供する。
【課題を解決するための手段】
【０００９】
本発明は、以下の態様または適用例として実現することができる。
【００１０】
［適用例１］
本発明に係るインクジェット用浸透剤の一態様は、
下記一般式（２）で表されるアルコールに酸化プロピレンおよび酸化エチレンを順次ブロック重合させることにより得られる下記一般式（１）で表される化合物を含むインクジェット用浸透剤であって、前記アルコールの含有量が１質量％以下である。
ＣｘＨ２ｘ＋１−Ｏ−（ＰＯ）ｙ−（ＥＯ）ｚ−Ｈ  ・・・・・（１）
（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）
ＣｘＨ２ｘ＋１−ＯＨ  ・・・・・（２）
（式（２）中、ｘは５〜１０の整数を表す。）
【００１１】
適用例１のインクジェット用浸透剤をインク組成物に添加することにより、従来から水性インクに添加されている１，２−ヘキサンジオールやトリエチレングリコールモノブチルエーテルを添加することなく、普通紙におけるインクの浸透性や、専用光沢紙に記録した画像の光沢性を向上させることができる。適用例１のインクジェット用浸透剤は、揮発性有機化合物（ＶＯＣ）には該当しないので、これをインク組成物に添加することでトータルＶＯＣを大幅に低減させることができる。また、適用例１のインクジェット用浸透剤は、インクジェットヘッドを構成する部材を変質または変形させる等のアタック性を有しないので、長期間の使用によりインクジェットヘッドの信頼性が損なわれることがない。
【００１２】
［適用例２］
適用例１のインクジェット用浸透剤において、前記ブロック重合が塩基性触媒存在下で行われることができる。
【００１３】
［適用例３］
本発明に係るインクジェット記録用インク組成物の一態様は、
下記一般式（２）で表されるアルコールに酸化プロピレンおよび酸化エチレンを順次ブロック重合させることにより得られる下記一般式（１）で表される化合物を含むインクジェット用浸透剤を含有し、前記アルコールの含有量が０．５質量％以下である。
ＣｘＨ２ｘ＋１−Ｏ−（ＰＯ）ｙ−（ＥＯ）ｚ−Ｈ  ・・・・・（１）
（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）
ＣｘＨ２ｘ＋１−ＯＨ  ・・・・・（２）
（式（２）中、ｘは５〜１０の整数を表す。）
【００１４】
［適用例４］
適用例３のインクジェット記録用インク組成物において、前記インクジェット用浸透剤の含有量が０．５質量％以上５質量％以下であることができる。
【００１５】
［適用例５］
適用例３または適用例４のインクジェット記録用インク組成物において、標準沸点２４０℃以下の揮発性有機溶剤の含有量が０．１質量％以下であることができる。
【００１６】
［適用例６］
適用例３ないし適用例５のいずれか一例のインクジェット記録用インク組成物において、さらに、アニオン系界面活性剤を含有することができる。
【００１７】
［適用例７］
適用例３ないし適用例６のいずれか一例のインクジェット記録用インク組成物において、顔料を除いた場合における曇点が５０℃以上であることができる。
【００１８】
［適用例８］
適用例３ないし適用例７のいずれか一例のインクジェット記録用インク組成物は、エポキシ系接着剤、変性ポリフェニレンエーテルおよびエラストマーから選択される少なくとも１種を材料として用いたインクジェットヘッドを備えたインクジェット記録装置に用いられることができる。
【００１９】
［適用例９］
本発明に係る記録装置の一態様は、
適用例３ないし適用例８のいずれか一例のインクジェット記録用インク組成物を備えることを特徴とする。
【００２０】
［適用例１０］
適用例９の記録装置において、１時間当たりのＶＯＣの総量が５ｍｇ／ｈ未満であることができる。
【図面の簡単な説明】
【００２１】
【図１】実施例で使用したインクジェット用浸透剤（ｂ）の分子量分布を表すグラフ。
【発明を実施するための形態】
【００２２】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２３】
１．インクジェット用浸透剤
本実施の形態に係るインクジェット用浸透剤は、下記一般式（２）で表されるアルコールに酸化プロピレンおよび酸化エチレンを順次ブロック重合させることにより得られる下記一般式（１）で表される化合物を含むインクジェット用浸透剤であって、前記アルコールの含有量が１質量％以下である。
【００２４】
ＣｘＨ２ｘ＋１−Ｏ−（ＰＯ）ｙ−（ＥＯ）ｚ−Ｈ  ・・・・・（１）
（式（１）中、ｘは５〜１０の整数を表し、ｙは０〜７の整数を表し、ｚは３〜１０の整数を表す。ＰＯはプロピレンオキシ基を表し、ＥＯはエチレンオキシ基を表す。）
【００２５】
ＣｘＨ２ｘ＋１−ＯＨ  ・・・・・（２）
（式（２）中、ｘは５〜１０の整数を表す。）
【００２６】
上記一般式（１）において、ＰＯはプロピレンオキシ基（−ＣＨ２ＣＨ２ＣＨ２Ｏ−または−ＣＨ（ＣＨ３）ＣＨ２Ｏ−）を表し、ＥＯはエチレンオキシ基（−ＣＨ２ＣＨ２Ｏ−）を表す。このＰＯおよびＥＯは式（１）で表される化合物中において、式（１）で示される順序でそれぞれブロックとして存在する。
【００２７】
上記一般式（１）において、ｘは５〜１０の整数であり、６〜１０が好ましく、６〜９がより好ましく、８〜９が特に好ましい。ｘが前記範囲未満であると、普通紙への浸透性を向上させる効果が低くなりやすい。一方、ｘが前記範囲を超えると、粘度が高くなるため、インクジェット記録用インク組成物に添加し得る量が制限される。インクジェット記録用インク組成物の粘度が高すぎると、インクジェットヘッドから吐出させることが困難となるからである。その結果、インクジェット記録用インク組成物の普通紙への浸透性が向上しないことがある。
【００２８】
上記一般式（１）および上記一般式（２）において、ＣｘＨ２ｘ＋１−で表される炭化水素基は、直鎖であっても分岐鎖であってもよいが、分岐鎖であることが好ましい。分岐鎖とすることにより、上記一般式（１）で表される化合物の沸点が上昇するため、揮発性有機化合物（ＶＯＣ）になり難くなる傾向がある。また、良好な浸透性を有するインクジェット記録用インク組成物が得られやすく、良好な品質の画像を記録することができる。
【００２９】
上記一般式（１）で表される化合物は、上記一般式（２）で表されるアルコールを出発原料として、塩基性触媒存在下で、酸化プロピレンを目標モル量添加してブロックを形成させた後、さらに酸化エチレンを目標モル量添加してブロックを形成させることによって得られる。すなわち、上記一般式（１）において、ｙおよびｚは、それぞれ酸化プロピレンおよび酸化エチレンの仕込みモル量から導き出される数となる。このようにして得られる化合物は、ｙおよびｚをそれぞれの仕込みモル量から導き出される数とした上記一般式（１）で表される化合物を含む分子量分布をもった混合物となる。
【００３０】
ここで、塩基性触媒としては、例えば水酸化ナトリウム、水酸化カリウム等が挙げられる。
【００３１】
さらに、得られた混合物から原料の上記一般式（２）で表されるアルコール（以下、「原料アルコール」ともいう）を除去するために、減圧留去することが好ましい。原料アルコールが完全に反応に寄与している場合には減圧留去する必要はないが、通常未反応の原料アルコールが残留するため減圧留去することが望ましい。例えば先行技術の一つである米国特許第６８３０６１２号明細書では、原料アルコールを除く処理を全くしておらず、本願発明の好ましい例には該当しない。一方、本願発明は、上述のようにすることで、原料アルコールの含有量が１質量％以下となる混合物を得ることができる。かかる混合物は、上記一般式（１）で表される化合物が揮発性有機化合物（ＶＯＣ）に該当しないので、ＶＯＣ濃度が極めて低くなる点で好ましい。なお、混合物中の原料アルコールの含有量は、ＶＯＣ濃度を低減させる観点から、０．５質量％以下であることが好ましく、０．１質量％以下であることがより好ましく、０．０１質量％であることが特に好ましく、０質量％（すなわち残留しないこと）が最も好ましい。
【００３２】
上記一般式（１）において、酸化プロピレンの仕込みモル量から導き出されるｙは０〜７の整数であり、０〜５であることが好ましく、０〜２であることがより好ましい。
【００３３】
上記一般式（１）において、酸化エチレンの仕込みモル量から導き出されるｚは３〜１０の整数であり、３〜７であることが好ましく、３〜５であることがより好ましい。
【００３４】
２．インクジェット記録用インク組成物
以下、本実施の形態に係るインクジェット記録用インク組成物に含まれる各成分について詳細に説明する。
【００３５】
２．１．インクジェット用浸透剤
本実施の形態に係るインクジェット記録用インク組成物は、上記一般式（１）で表される化合物を含むインクジェット用浸透剤を含有する。上記のインクジェット用浸透剤は、１種単独で用いてもよいが２種以上を混合して用いてもよい。
【００３６】
上記のインクジェット用浸透剤を含有することにより、従来の水性インクに添加し得る１，２−アルカンジオールやグリコールエーテル類等の水溶性有機溶媒を添加することなく、普通紙に印刷した場合には良好な浸透性を有すると共に、専用光沢紙に印刷した場合には良好な粒状感、光沢感、および耐擦過性を有する画像が得られる。これにより、インクジェット記録用インク組成物から揮発性有機化合物（ＶＯＣ）となる成分を排除することができるので、インクジェット記録用インク組成物のトータルＶＯＣを大幅に低減させることができる。特に、上記一般式（１）におけるｘが６〜９である化合物を２種類以上組み合わせて用いると、専用光沢紙に印刷した場合の光沢感が良好となる効果が得られやすい。
【００３７】
なお、インクジェット記録用インク組成物中の原料アルコールの含有量は、ＶＯＣ濃度を低減させる観点から、０．５質量％以下であることが好ましく、０．１質量％以下であることがより好ましく、０．０１質量％であることが特に好ましく、０質量％（すなわち残留しないこと）が最も好ましい。
【００３８】
また、上記のインクジェット用浸透剤は、インクジェットヘッドを構成する部材（例えば、エポキシ系接着剤、変性ポリフェニレンエーテル、エラストマー等）を侵食して変質または変形させることがない。そのため、本実施の形態に係るインクジェット記録用インク組成物を長期間使用してもインクジェットヘッドの信頼性が損なわれない点で有利である。
【００３９】
上記のインクジェット用浸透剤の含有量は、０．５質量％以上５質量％以下であることが好ましく、０．７質量％以上２質量％以上であることがより好ましい。インクジェット用浸透剤の含有量が０．５質量％以上であると普通紙に印刷した場合の浸透性や専用光沢紙に印刷した場合の画質が向上し、５質量％以下であると粘度が適正となる。
【００４０】
２．２．アニオン系界面活性剤
本実施の形態に係るインクジェット記録用インク組成物には、さらにアニオン系界面活性剤を添加してもよい。アニオン系界面活性剤の添加量は、特に限定されないが、０．０１質量％以上０．５質量％以下であることが好ましく、０．１質量％以上０．２質量％以下であることがより好ましい。本実施の形態に係るインクジェット記録用インク組成物は、上記のインクジェット用浸透剤を含有するが、加温していくと曇点を境に溶解度が急に低下し、ミセルを形成できなくなり水と相分離して不透明となる。これは、高温になるとポリエーテル鎖と水との水素結合が切れて溶解度が急に低下するためであると考えられる。そこで、アニオン系界面活性剤を上記範囲で添加することにより、インクジェット用浸透剤の水への溶解性を高めて、曇点をより高温へと引き上げることができる。これにより、本実施の形態に係るインクジェット記録用インク組成物は、広範な温度範囲において使用可能となると共に、輸送上・保管上の安定性が向上する。
【００４１】
アニオン系界面活性剤としては、例えばアルキルエーテル硫酸エステル塩、アルキルスルホン酸塩、アルキルリン酸塩、アルキルリン酸エステル塩、ポリオキシエチレンアルキルエーテルリン酸塩等が挙げられる。カウンターカチオンとしては、リチウムイオン、ナトリウムイオン、カリウムイオン、モノ〜トリアルキルアンモニウム、モノ〜トリエタノールアンモニウム等が挙げられる。
【００４２】
２．３．色材
本実施の形態に係るインクジェット記録用インク組成物には、さらに色材を添加してもよい。色材としては、染料、顔料のいずれであってもよい。
【００４３】
染料としては、直接染料、酸性染料、食用染料、塩基性染料、反応性染料、分散染料、建染染料、可溶性建染染料、反応分散染料等のインクジェット記録に使用可能な各種染料が挙げられる。
【００４４】
顔料としては、特に制限されず、無機顔料、有機顔料を使用することができる。ブラックインク用の無機顔料としては、酸化チタンおよび酸化鉄に加え、ファーネスブラック、ランブブラック、アセチレンブラック、チャネルブラック等のカーボンブラック（Ｃ．Ｉ．ピグメントブラック７）類が挙げられる。ブラックインク用の有機顔料としては、アニリンブラック（Ｃ．Ｉ．ピグメントブラック１）等の黒色有機顔料が挙げられる。
【００４５】
イエローインク用の顔料としては、Ｃ．Ｉ．ピグメントイエロー１（ハンザイエロー）、３（ハンザイエロー１０Ｇ）、１２、１３、１４、１７、２４（フラバントロンイエロー）、３４、３５、３７、５３、５５、６５、７３、７４、８１、８３、９３、９４、９５、９７、９８、９９、１０８（アントラピリミジンイエロー）、１０９、１１０、１１３、１１７（銅錯塩顔料）、１２０、１２８、１３３（キノフタロン）、１３８、１３９（イソインドリノン）、１４７、１５１、１５３（ニッケル錯体顔料）、１５４、１５５、１６７、１７２、１８０、１８５、２１３、国際公開第２０１１／０２７８４２号パンフレットの［化１］に記載の顔料等が挙げられる。
【００４６】
マゼンタインク用の顔料としては、Ｃ．ｌ．ピグメントレッド１（パラレッド）、２、３（トルイジンレッド）、５（ｌＴＲ  Ｒｅｄ）、７、９、１０、１１、１２、１７、３０、３１、３８（ピラゾロンレッド）、４２、８８（チオインジゴ）、１１２（ナフトールＡＳ系）、１１４（ナフトールＡＳ系）、１２２（ジメチルキナクリドン）、１２３、１４４、１４９、１５０、１６６、１６８（アントアントロンオレンジ）、１７０（ナフトールＡＳ系）、１７１、１７５、１７６、１７７、１７８、１７９（ベリレンマルーン）、１８５、１８７、２０９（ジクロロキナクリドン）、２１９、２２４（ベリレン系）、２４５（ナフトールＡＳ糸）、又は、Ｃ．Ｉ．ピグメントバイオレット１９（キナクリドン）、２３（ジオキサジンバイオレット）、３２、３３、３６、３８、４３、５０等が挙げられる。
【００４７】
シアンインク用の顔料としては、Ｃ．ｌ．ピグメントブルー１５、１５：１、１５：２、１５：３、１５：４、１６（無金属フタロシアニン）、１８（アルカリブルートナー）、２５、６０（スレンブルー）、６５（ビオラントロン）、６６（インジゴ）等が挙げられる。
【００４８】
さらに、マゼンタ、シアン、又はイエローインク以外のカラーインクに用いる有機顔料として、Ｃ．Ｉ．ピグメントグリーン７（フタロシアニングリーン）、１０（グリーンゴールド）、３６、３７；Ｃ．Ｉ．ピグメントブラウン３、５、２５、２６；あるいはＣ．Ｉ．ピグメントオレンジ１、２、５、７、１３、１４、１５、１６、３４、３６、３８等を用いることができる。
【００４９】
また、顔料の平均粒径は、特に限定されないが、３０〜１２０ｎｍの範囲であることが好ましく、３０〜１００ｎｍの範囲であることがより好ましく、３０〜８０ｎｍの範囲であることが特に好ましい。平均粒径が３０ｎｍ以上であれば、普通紙での発色性（ＯＤ）が良好となりやすく、１２０ｎｍ以下であると光沢紙の光沢性が良好となりやすい。
【００５０】
顔料は、水性媒体中に分散剤により分散されていてもよい。分散剤の例としては、その分子骨格がスチレン−アクリル酸共重合体樹脂であり、重量平均分子量（以後単に分子量と称す）が１６００〜２５０００かつ酸価が１００〜２５０のものが使用できる。その具体例としては、ジョンソンポリマー株式会社製、ジョンクリル６８（分子量１００００、酸価１９５）、ジョンクリル６８０（分子量３９００、酸価２１５）、ジョンクリル６８２（分子量１６００、酸価２３５）、ジョンクリル５５０（分子量７５００、酸価２００）、ジョンクリル５５５（分子量５０００、酸価２００）、ジョンクリル５８６（分子量３１００、酸価１０５）、ジョンクリル６８３（分子量７３００、酸価１５０）、Ｂ−３６（分子量６８００、酸価２５０）等である。
【００５１】
また、顔料として、その表面に官能基が導入され、水性溶媒に単独で分散可能な表面処理カーボンブラックまたは有機顔料を用いても良い。
【００５２】
本実施の形態に係るインクジェット記録用インク組成物においては、上記の色材を１種単独で若しくは２種以上組み合わせて使用することができる。
【００５３】
色材の添加量は、特に限定されないが、０．５〜３０質量％が好ましく、１．０〜１２質量％がより好ましい。０．５質量％以上であると、印字濃度がより適切になり、３０質量％以下であると、インクの粘度特性がより適切になり、吐出安定性が向上する。
【００５４】
２．４．水およびその他の成分
本実施の形態に係るインクジェット記録用インク組成物において、水は主溶媒である。水としては、イオン交換水、限外濾過水、逆浸透水、蒸留水等の純水、または超純水を用いることができる。また、紫外線照射、または過酸化水素等により滅菌した水を用いることにより、インク組成物を長期保存する場合にカビやバクテリアの発生を防止することができるので好適である。
【００５５】
本実施の形態に係るインクジェット記録用インク組成物には、さらに水溶性グリコール類を添加してもよい。水溶性グリコール類は、インクのノズル前面での乾燥を抑制する効果がある。このような水溶性グリコール類としては、インク組成物中の揮発性有機化合物（ＶＯＣ）を排除する観点から、標準沸点が２４０℃を超える水溶性グリコール類を使用することが好ましい。ここで、標準沸点とは、１ａｔｏｍのときの沸点のことをいう。
【００５６】
このような水溶性グリコール類の具体例としては、ジエチレングリコール、トリエチレングリコール、トリプロピレングリコール、テトラエチレングリコール、分子量６００以上のポリエチレングリコール、トリメチロールプロパン、１，５−ペンタンジオール、１，６−ヘキサンジオール、グリセリン、メソエリスリトール、ペンタエリスリトール等が挙げられる。これらの水溶性グリコール類は、１種単独で又は２種以上組み合わせて用いてもよい。水溶性グリコール類の添加量は、１〜３０質量％が好ましく、３〜１５質量％がより好ましい。
【００５７】
本実施の形態に係るインクジェット記録用インク組成物には、さらに糖類を添加してもよい。糖類を添加することでインクがヘッドの先端で乾燥して詰まるという目詰まり現象を回避することができる。
【００５８】
糖類の好ましい例としては、単糖類および多糖類が挙げられ、より具体的にはグルコース、マンノース、フルクトース、リボース、キシロース、アラビノース、ラクトース、ガラクトース、アルドン酸、グルシトース、マルトース、セロビオース、スクロース、トレハロース、マルトトリオース等の他にアルギン酸およびその塩、シクロデキストリン類、セルロース類等がある。糖類の添加量は、０．０５質量％〜３０質量％が好ましい。
【００５９】
本実施の形態に係るインクジェット記録用インク組成物には、さらに防腐剤、防かび剤を添加してもよい。その例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（ＩＣＩ社のプロキセルＣＲＬ、プロキセルＢＤＮ、プロキセルＧＸＬ、プロキセルＸＬ−２、プロキセルＴＮ）等が挙げられる。
【００６０】
また、本実施の形態に係るインクジェット記録用インク組成物には、必要に応じて、ｐＨ調整剤、溶解助剤、酸化防止剤を添加してもよい。その例としては、ジエタノールアミン、トリエタノールアミン、プロパノールアミン、モルホリン等のアミン類およびそれらの変成物、水酸化カリウム、水酸化ナトリウム、水酸化リチウムなどの無機塩類、水酸化アンモニウム、４級アンモニウム水酸化物（テトラメチルアンモニウム等）、炭酸カリウム、炭酸ナトリウム、炭酸リチウムなどの炭酸塩類その他燐酸塩、Ｎ−メチル−２−ピロリドン、尿素、チオ尿素、テトラメチル尿素等の尿素類、アロハネート、メチルアロハネート等のアロハネート類、ビウレット、ジメチルビウレット、テトラメチルビウレットなどのビウレット類など、Ｌ−アスコルビン酸およびその塩などが挙げられる。
【００６１】
２．５．物性
２．５．１．揮発性有機化合物（ＶＯＣ）量
本実施の形態に係るインクジェット記録用インク組成物は、標準沸点２４０℃以下の揮発性有機溶剤の含有量が０．１質量％以下、好ましくは０．０５質量％以下、より好ましくは０．０１質量％以下、特に好ましくは０質量％である。
【００６２】
上記のインクジェット用浸透剤を含むことにより、従来の水性インクに添加し得る１，２−アルカンジオールやグリコールエーテル類等の水溶性有機溶媒を添加することなく、普通紙に印刷した場合には良好な浸透性を有すると共に、専用光沢紙に印刷した場合には良好な粒状感、光沢感、および耐擦過性を有する画像が得られる。したがって、インクジェット記録用インク組成物から揮発性有機化合物（ＶＯＣ）となる成分を排除することができるので、インクジェット記録用インク組成物のトータルＶＯＣを大幅に低減させることができる。これにより、本願発明のインクジェット記録用インク組成物を備える記録装置は、トータルＶＯＣを大幅に低減させることができるのである。なお、インクジェット記録用インク組成物を備える記録装置のＶＯＣの総量は、１時間当たり５ｍｇ／ｈ未満であることが好ましく、１ｍｇ／ｈ未満であることがより好ましい。
【００６３】
２．５．２．曇点
本実施の形態に係るインクジェット記録用インク組成物は、顔料を除いた場合における曇点が５０℃以上であることが好ましく、６０℃以上であることがより好ましい。曇点が５０℃以上であると、広範な温度範囲において使用可能となり、また輸送上・保管上の安定性が良好となるため好ましい。
【００６４】
なお、インクジェット記録用インク組成物の曇点は以下のようにして測定することができる。まず、１００ｍＬのサンプル瓶に、顔料固形分を除いた組成物３０ｇ及び攪拌子を加え、ホットスターラーにて加熱しながら攪拌する。この組成物が白濁したときの温度を測定し、曇点とする。
【００６５】
２．５．３．粘度
本実施の形態に係るインクジェット記録用インク組成物の２０℃における粘度は、２ｍＰａ・ｓ以上１５ｍＰａ・ｓ以下であることが好ましく、２ｍＰａ・ｓ以上１０ｍＰａ・ｓ以下であることがより好ましい。この範囲内であれば、インクの吐出安定性を確保することができる。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６６】
２．６．用途
本実施の形態に係るインクジェット記録用インク組成物は、インク組成物の液滴を吐出し、該液滴を記録媒体に付着させて記録を行うインクジェット記録方法に用いられる。該記録媒体は、加熱してもよいし、非加熱でもよい。記録媒体を加熱することで、付着したインク組成物の液滴の速乾性が向上する場合がある。インク組成物の液滴を吐出する方法としては、例えば電歪素子を用いて電気信号を機械信号に変換して、インクジェットヘッドに蓄えたインクを断続的に吐出して記録媒体表面に文字や記号を記録する方法（ピエゾ方式）；インクジェットヘッドに蓄えたインクを吐出部分に極めて近い箇所で急速に加熱し泡を発生させ、その泡による体積膨張で断続的に吐出することで記録媒体表面に文字や記号を記録する方法（バブル方式）等が挙げられる。本実施の形態に係るインクジェット記録用インク組成物は、ピエゾ方式に特に好ましく用いられる。
【００６７】
ピエゾ方式で用いられるインクジェットヘッドは、アクチュエータユニットと吐出口ユニットとをエポキシ系接着剤で接着してから、樹脂を射出成形して作られたケースヘッドに接着して構成される。アクチュエータユニットは、連通口の形成された連通プレート、圧力室の形成されたプレート、振動板となるプレート、そしてアクチュエータから構成される。この連通口や圧力室の形成されたプレートは、変性ポリフェニレンエーテル等の材料が使用される。また、吐出口ユニットには、エラストマー等の材料が使用される。
【００６８】
従来の１，２−アルカンジオールやグリコールエーテル類等が添加された水性インク組成物は、インクジェットヘッドを構成する部材（変性ポリフェニレンエーテル、エラストマー、エポキシ系接着剤等）を変質または変形させる等のアタック性を有する場合があった。そのため、長期間の使用により、インクジェットヘッドの信頼性が損なわれて、良好な画像が記録できなくなる場合があった。しかしながら、本実施の形態に係るインクジェット記録用インク組成物は、変性ポリフェニレンエーテル、エポキシ系接着剤、エラストマーに対するアタック性が極めて小さいため、長期間の使用においてもインクジェットヘッドの信頼性が損なわれることがないという利点を有する。
【００６９】
３．実施例
以下、本発明の実施形態を実施例および比較例によってさらに具体的に説明するが、本発明はこれらの実施例によって何ら限定されるものではない。
【００７０】
３．１．インクジェット用浸透剤の合成例
本実施例で使用したインクジェット用浸透剤（以下、単に「浸透剤」ともいう）（ａ）〜（ｊ）は、下記一般式（２）で表される原料アルコールから合成された下記一般式（１）で表される化合物であり、下記一般式（１）中のｘ、ｙ、ｚがそれぞれ下表１に示す値となるものである。これらの浸透剤の合成例を以下に示す。
ＣｘＨ２ｘ＋１−Ｏ−（ＰＯ）ｙ−（ＥＯ）ｚ−Ｈ  ・・・・・（１）
ＣｘＨ２ｘ＋１−ＯＨ  ・・・・・（２）
【００７１】
【表１】
2013163702.tif 000002
【００７２】
３．１．１．インクジェット用浸透剤（ｂ）の合成
上記の浸透剤（ｂ）は、４−メチル−２−ペンタノールを出発原料として、塩基性触媒（水酸化カリウム）存在下で、酸化プロピレンを２モル当量添加してブロックを形成させた後、酸化エチレンを５モル当量添加してさらにブロックを形成させることによって得た。このようにして得られた化合物は、ｙおよびｚをそれぞれの仕込みモル量とした上記一般式（１）で表される化合物を含む分子量分布をもった混合物となった。次いで、得られた混合物から原料アルコールである４−メチル−２−ペンタノールを減圧留去した。このようにして、４−メチル−２−ペンタノールの含有量が１質量％以下となった浸透剤（ｂ）を得た。このようにして得られた浸透剤（ｂ）の分子量分布は、図１のようになった。なお、図１における横軸は、エチレンオキサイド及びプロピレンオキサイドのモル数であり、縦軸はインクジェット用浸透剤の総量を１００％とした場合における割合である。なお、分子量分布はＧＣ／ＭＳ測定装置を用いて測定することが可能である。具体的には、以下のようにして浸透剤（ｂ）の分子量分布を測定した。パイロライザーで３００℃まで加熱し、サンプル中の揮発成分を液体窒素で捕集後、下記のＧＣ−ＭＳで測定を行った。次に残渣をパイロライザーで５５０℃に加熱し、サンプルの熱分解を行った後、ＧＣ−ＭＳで測定を行った。揮発性成分と熱分解物の両方の情報を使用し、マススペクトルのフラグメントより浸透剤（ｂ）の構造を同定した。
装置名；ＧＣ−ＭＳ  アジレント社製、ＧＣ  ６８９０  ＭＳ  ５９７５
カラム；フロンティアラボ社製、製品名「ＵＡ−５」、長さ３０ｍ、内径２５０μｍ、膜厚０．２５μｍ
Ｈｅ流速；１ｍＬ／ｍｉｎ
【００７３】
３．１．２．インクジェット用浸透剤（ａ）および（ｃ）〜（ｊ）の合成
上記の浸透剤（ａ）および（ｃ）〜（ｊ）は、原料アルコール、酸化プロピレンおよび酸化エチレンの仕込みモル量を表１に記載のように変更した以外は、上記の浸透剤（ａ）と同様にして合成した。なお、浸透剤（ｇ）および（ｈ）では、原料アルコールを減圧留去する操作を行わなかった。
【００７４】
３．２．インク組成物の調製
３．２．１．顔料分散液の調製
本実施例で使用するインク組成物は、色材として水不溶性の顔料（シアン顔料：Ｃ．Ｉ．ピグメントブルー１５：４）を使用した。顔料をインク組成物に添加する際には、あらかじめ該顔料を樹脂分散剤で分散させた顔料分散液を使用した。
【００７５】
顔料分散液は、以下のようにして調製した。まず、３０％アンモニア水溶液（中和剤）１．５質量部を溶解させたイオン交換水７９質量部に、樹脂分散剤としてスチレン−アクリル酸共重合体（分子量１６００、酸価１５０の共重合体）６質量部を加えて溶解させた。そこに、顔料（Ｃ．Ｉ．ピグメントブルー１５：４）１５質量部を加えてジルコニアビーズによるボールミルにて１０時間分散処理を行なった。その後、遠心分離機による遠心濾過を行って粗大粒子やゴミ等の不純物を除去し、顔料濃度が１５質量％となるように調整した。
【００７６】
３．２．２．インク組成物の調製
上記で調製された顔料分散液を用いて、表２〜表３に示す材料組成にて組成の異なるシアンインク組成物を調製した。各インク組成物は、表２〜表３に示す材料を容器中に入れ、マグネチックスターラーにて２時間混合撹拌した後、孔径５μｍのメンブランフィルターにて濾過してゴミや粗大粒子等の不純物を除去することにより調製した。なお、表２〜表３中の数値は、全て質量％を示し、イオン交換水はインク全量が１００質量％となるように添加した。
【００７７】
【表２】
2013163702.tif 000003
【００７８】
【表３】
2013163702.tif 000004
【００７９】
なお、表２〜表３中において、下記の略号を使用した。
・アニオン系界面活性剤Ａ：ポリオキシエチレンアルキルエーテルリン酸、（東邦化学工業株式会社製、商品名「フォスファノール  ＲＳ−６１０」）
・アニオン系界面活性剤Ｂ：ポリオキシエチレンアルキルエーテル硫酸エステル塩（花王株式会社製  商品名「エマール２０Ｃ」）
・１，２−ＨＤ：１，２−ヘキサンジオール
・ＢＹＫ−３４８：シリコン系界面活性剤（ビックケミー・ジャパン株式会社製、商品名、ポリエーテル変性シロキサン）
・Ｅ１０１０：アセチレンジオール系界面活性剤（日信化学工業株式会社製、商品名「オルフィンＥ１０１０」）
・ＴＥＧ：テトラエチレングリコール
・ＴＭＰ：トリメチロールプロパン
・ＴＥＡ：トリエタノールアミン
【００８０】
３．３．インク組成物の評価
３．３．１．浸透性評価
記録媒体としては、上質普通紙（セイコーエプソン株式会社製、型番「ＫＡ４２５０ＮＰ」）を使用した。インクジェットプリンター（セイコーエプソン株式会社製、製品名「ＥＭ−９３０Ｃ」）に上記のインク組成物のいずれかを充填して、常温・常圧下にて上質普通紙の表面に印刷した。この場合における印刷モードは、普通紙、推奨設定（きれい）モードであった。そして、印刷物を自然乾燥させてから、滲みの状態を目視によって以下の基準により評価した。その評価結果を表２〜表３に併せて示す。
Ａ：滲みの無い、良好な画像が得られた。
Ｂ：滲みが僅かに生じた。
Ｃ：ヒゲ状の滲みが発生していた。
【００８１】
３．３．２．光沢性評価
記録媒体としては、専用光沢紙（セイコーエプソン株式会社製、商品名「ＰＭ写真用紙」）を使用した。インクジェットプリンター（セイコーエプソン株式会社製、製品名「ＥＭ−９３０Ｃ」）に上記のインク組成物のいずれかを充填して、常温・常圧下にて専用光沢紙の表面に７２０×７２０ｄｐｉの解像度でベタ印刷した。入射角６０°のおける記録面の光沢度をグロスチェッカー（株式会社堀場製作所製、製品名「ＩＧ−３２０」）にて測定を行い、各記録紙ごとに５回の平均を採った光沢度の値を評価の対象とした。評価基準は、以下の通りである。その評価結果を表２〜表３に併せて示す。
Ａ：光沢度が６０以上である。
Ｂ：光沢度が３０以上６０未満の範囲にある。
Ｃ：光沢度が３０以下である。
【００８２】
３．３．３．保管安定性評価
表２〜表３に記載のインク組成物から顔料固形分を除いた組成物の曇点を測定することにより、保管安定性の評価を行った。該組成物の曇点は、以下のようにして測定した。１００ｍＬのサンプル瓶に、顔料固形分を除いた組成物３０ｇ及び攪拌子を加え、ホットスターラーにて加熱しながら攪拌した。この組成物が白濁したときの温度を目視により測定し、その温度を曇点とした。評価基準は、以下の通りである。その評価結果を表２〜表３に併せて示す。
Ａ：曇点が６０℃以上である。
Ｂ：曇点が５０℃以上６０℃未満の範囲にある。
Ｃ：曇点が５０℃未満である。
【００８３】
３．３．４．揮発性有機化合物（ＶＯＣ）発生量の測定
インクジェットプリンター（セイコーエプソン株式会社製、製品名「ＰＸ−Ｈ６０００」）に上記のインク組成物のいずれかを充填して、そのインクジェットプリンターをステンレス製の金属容器の中に入れて密封した。金属容器内の空気をポンプで１０分間循環し、その際、循環空気を吸着管へ通すことによって、吸着管にＶＯＣを捕集した。この吸着管を加熱し、ＶＯＣ成分脱離させて、ガスクロマトグラフィーにより揮発性有機化合物（ＶＯＣ）を定量した。評価基準は、以下の通り１時間あたりの放散量で表す。その評価結果を表２〜表３に併せて示す。
Ａ：インク組成物（記録装置）のトータルＶＯＣが１ｍｇ／ｈ未満である。
Ｂ：インク組成物（記録装置）のトータルＶＯＣが１ｍｇ／ｈ以上５ｍｇ／ｈ未満の範囲にある。
Ｃ：インク組成物（記録装置）のトータルＶＯＣが５ｍｇ／ｈ以上である。
【００８４】
３．４．評価結果
実施例１〜実施例１９の結果によれば、上記一般式（１）で表される化合物を含有する浸透剤を含むインク組成物を用いることにより、普通紙における浸透性、専用光沢紙に記録された画像の光沢性に優れることが示された。また、ＶＯＣの発生量が極めて低減されたインク組成物を得ることができた。
【００８５】
また、実施例１〜実施例１０、実施例１６〜実施例１９の結果によれば、上記一般式（１）で表される化合物を含有する浸透剤とアニオン系界面活性剤とを併用することにより、インク組成物の曇点が高くなり、保管安定性が向上することが示された。
【００８６】
比較例１〜比較例２の結果によれば、原料アルコールの含有量が１％を超える浸透剤を用いることにより、ＶＯＣの発生量が増大する傾向が見られた。
【００８７】
比較例３の結果によれば、従来のインク組成物はＶＯＣの発生量が明らかに高いことが判明した。
【００８８】
比較例４の結果によれば、上記一般式（１）中のｘが４であることにより、浸透性がやや低下すると共に、光沢性、保管安定性、ＶＯＣ発生量の点でも劣ることが判明した。
【００８９】
比較例５の結果によれば、上記一般式（１）中のｘが１１であることにより、浸透性が著しく低下すると共に、保管安定性の点でも劣ることが判明した。
【００９０】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図１】
2013163702.tif 000005